(57)【特許請求の範囲】
【請求項１】
バッグに取り付けて使用するＩＣカード専用のパスケースであって、
該パスケースは、ＩＣカードの収納部を有するパスケース本体と、該パスケース本体の一端から延出する延出部とから構成され、
該延出部は、磁力を有するベースシートと、該ベースシートに吸着及び離隔が自在に形成され且つ前記収納部の収納口を覆う施蓋片と、前記ベースシートに吸着及び離隔が自在に形成され且つ前記施蓋片を押える押え片とを備え、
少なくとも前記パスケース本体の縁部及び前記ベースシートの縁部に沿った位置には、バッグへの取付手段を設けたこと
を特徴とするパスケース。
【請求項２】
前記パスケース本体の一部又は全部と前記施蓋片の基部とには、補強用の金網が配設されていることを特徴とする請求項１に記載のパスケース。
【請求項３】
前記パスケース本体の他端側には、窓孔が形成されていることを特徴とする請求項１に記載のパスケース。
【請求項４】
前記収納部には、台座シートが収納されており、該台座シートの一端及び他端には、切欠部がそれぞれ形成されていることを特徴とする請求項１に記載のパスケース。
【請求項５】
前記押え片には、挿通孔を有する取付部材が設けられていることを特徴とする請求項１に記載のパスケース。
【請求項６】
前記バッグへの取付手段は、縫い針を挿通させる複数の小孔であることを特徴とする請求項１に記載のパスケース。
【発明の詳細な説明】
【技術分野】
【０００１】
本発明は、バッグの底部等に取り付けて使用する、非接触型ＩＣカード専用のパスケースに関するものである。
【背景技術】
【０００２】
近年、非接触型ＩＣカードが広く使用されている。スイカ（登録商標）やパスモ（登録商標）等が知られている非接触型ＩＣカードは、電車やバスの乗降だけでなく、コンビニエンスストアーや自動販売機等でも使用することができ、その使用範囲は次第に拡大している。
【０００３】
この非接触型ＩＣカードを収納するパスケースとしては、次のような構成のものが知られている。このパスケースは、窓部を有するフロントシートと、窓部を覆って設けられる透明シートと、フロントシートの裏面側に設けられるベースシートとからなり、フロントシートの外側には発光素子が、内側にはアンテナコイルがそれぞれ設けられている（特許文献１参照）。
【０００４】
このような構成のパスケースは、使用時にＩＣカードが発する電波によって、アンテナコイルに電流が流れて発光素子を発光させるので、パスケースの外観の嗜好性を向上させることとなる。
【特許文献１】実用新案登録第３１３２１２８号公報
【発明の開示】
【発明が解決しようとする課題】
【０００５】
この従来例のパスケースにおいては、一般に用いられている定期券用の収納ケースと同様に、手で持って使用することを前提としている。つまり、使用時においては必ず一方の手でパスケースを持って、読み取り機に近接させる必要があるので、バッグや荷物を沢山持っているときには不便である。
【０００６】
従って、従来例におけるパスケースにおいては、手で持たないでも使用できるよう工夫することに解決しなければならない課題を有している。
【課題を解決するための手段】
【０００７】
前記従来例の課題を解決する具体的手段として本発明は、バッグに取り付けて使用するＩＣカード専用のパスケースであって、該パスケースは、ＩＣカードの収納部を有するパスケース本体と、該パスケース本体の一端から延出する延出部とから構成され、該延出部は、磁力を有するベースシートと、該ベースシートに吸着及び離隔が自在に形成され且つ前記収納部の収納口を覆う施蓋片と、前記ベースシートに吸着及び離隔が自在に形成され且つ前記施蓋片を押える押え片とを備え、少なくとも前記パスケース本体の縁部及び前記ベースシートの縁部に沿った位置には、バッグへの取付手段を設けたことを特徴とするパスケースを提供するものである。
【０００８】
また、前記パスケース本体の一部又は全部と前記施蓋片の基部とには、補強用の金網が配設されていること、；
前記パスケース本体の他端側には、窓孔が形成されていること、；
前記収納部には、台座シートが収納されており、該台座シートの一端及び他端には、切欠部がそれぞれ形成されていること、；
前記押え片には、挿通孔を有する取付部材が設けられていること、；
前記バッグへの取付手段は、縫い針を挿通させる複数の小孔であること；
を含むものである。
【発明の効果】
【０００９】
本発明に係るパスケースは、バッグに取り付けて使用するＩＣカード専用のパスケースであって、該パスケースは、ＩＣカードの収納部を有するパスケース本体と、該パスケース本体の一端から延出する延出部とから構成され、該延出部は、磁力を有するベースシートと、該ベースシートに吸着及び離隔が自在に形成され且つ前記収納部の収納口を覆う施蓋片と、前記ベースシートに吸着及び離隔が自在に形成され且つ前記施蓋片を押える押え片とを備え、少なくとも前記パスケース本体の縁部及び前記ベースシートの縁部に沿った位置には、バッグへの取付手段を設けたことによって、パスケースをバッグの底部等に取り付けることにより、バッグを読み取り機に近接させて使用できる。従って、パスケースを手で持つ必要がないので、荷物を沢山持っているときは便利である。
また、パスケース本体の縁部及びベースシートの縁部に沿って、バッグへの取付手段が設けられているので、ユーザーがバッグの所望位置にパスケースを取り付けることができるという種々の優れた効果を奏する。
【００１０】
また、パスケース本体の一部又は全部と前記施蓋片の基部とには、補強用の金網が配設されていることによって、パスケース本体及び施蓋片の基部が刃物で切断できないので、ＩＣカードを不用意にスリ取られる被害を防止できるという優れた効果を奏する。
【００１１】
そして、パスケース本体の他端側には、窓孔が形成されていることによって、この窓孔からＩＣカードを外に押し出すことができるので、取り出しが容易におこなえるという優れた効果を奏する。
【００１２】
更に、収納部には、台座シートが収納されており、該台座シートの一端及び他端には、切欠部がそれぞれ形成されていることによって、台座シートの存在によって、ＩＣカードを安定した状態で収納できる。また、切欠部の部位でＩＣカードを摘めるので、窓孔の存在と相俟って、ＩＣカードの収納及び取り出しが容易におこなえるという種々の優れた効果を奏する。
【００１３】
また、押え片には、挿通孔を有する取付部材が設けられていることによって、この挿通孔に細紐を挿通させることができるので、細紐に連結されたキャラクター人形等の飾り物を係止できるという優れた効果を奏する。
【００１４】
そして、バッグへの取付手段は、縫い針を挿通させる複数の小孔であることによって、パスケースをバッグの底部等に縫着することができる。つまり、パスケース本体の縁部及びベースシートの縁部に沿って、縫い針を挿通させる小孔が形成されるので、ユーザーがバッグの所望位置にパスケースを簡単に縫着できるという優れた効果を奏する。
【発明を実施するための最良の形態】
【００１５】
次に、本発明の実施の形態について図面を参照しながら説明する。まず、図１及び図２において、符号１１はパスケースを示し、このパスケース１１は、ＩＣカードＫの収納部１２を有するパスケース本体１３と、このパスケース本体１３の一端から延出する延出部１４とから構成される。また、このパスケース１１は、ユーザーがバッグの底部等の所望位置に縫着して使用する、非接触型ＩＣカード専用のパスケースである。
【００１６】
パスケース本体１３は、略長方形状に形成されており、図３に示すように、上部シート１５と、この上部シート１５の下部に配設された下部シート１６とを有する。上部シート１５と下部シート１６とは、縁部近傍の縫着線１７に沿って縫着されており、両シート１５、１６の間に収納部１２が形成されている。
【００１７】
上部シート１５の中央位置には、長方形状の窓部１８が形成されており、この窓部１８には、樹脂製の透明シート１９が設けられている。この透明シート１９の存在によって、収納部１２の内部のＩＣカードＫが視認できるのである。
【００１８】
パスケース本体１３の一端側には、図２に示すように、収納部１２の収納口２０を有している。また、パスケース本体１３の他端側、即ち、上部シート１５の他端には、窓孔２１が形成されており、この窓孔２１からＩＣカードＫを収納口２０の方向に押し出すことができる。
【００１９】
収納部１２には、やや肉厚の台座シート２２が収納されている。この台座シート２２の存在によって、ＩＣカードＫがズレることなく安定した状態で収納できる。この台座シート２２の一端には切欠部２３が形成されており、また、他端には切欠部２４が、窓孔２１と対応する位置に形成されている。この切欠部２３、２４の部位ではＩＣカードＫを指で摘めるので、ＩＣカードＫの収納及び取り出しが容易におこなえる。
【００２０】
延出部１４は、図３に示すように、下部シート１６の一端から一体に延出するベースシート２５と、上部シート１５の一端から一体に延出する施蓋片２６と、ベースシート２５の自由端２７側にその端部２８が固着されて施蓋片２６に重なる位置まで延出する押え片２９とからなる。
【００２１】
ベースシート２５は、中央部位２５ａが幅狭に形成されている。また、ベースシート２５の表面には、磁力を有するマグネット部材３０が設けられている。
【００２２】
施蓋片２６は、ベースシート２５の中央部位２５ａに沿って幅狭に形成されると共に、略三角形状に形成されている。また、押え片２９も同様に、ベースシート２５の中央部位２５ａに沿って幅狭に形成されると共に、略三角形状に形成されている。
【００２３】
そして、施蓋片２６及び押え片２９の裏面には、鉄粉等の金属部材３１が設けられている。従って、施蓋片２６と押え片２９とは、ベースシート２５に対して吸着及び離隔が自在である。
【００２４】
施蓋片２６の先端側には、中央孔３２が形成されている。また、押え片２９の、中央孔３２と対応する位置には、取付部材３３が設けられており、この取付部材３３は、押え片２９の裏面からネジ３４止めされている。
【００２５】
取付部材３３は、挿通孔３５が形成されている。この挿通孔３５には、図示しない細紐を挿通させることができるので、細紐に連結されたキャラクター人形等の飾り物を係止できる。
【００２６】
このように形成された延出部１４は、施蓋片２６を持ち上げて、収納口２０からＩＣカードＫを収納部１２に挿入してから、施蓋片２６で収納口２０を覆った状態で、ベースシート２５に吸着させる。更に、押え片２９をベースシート２５に吸着させると共に、施蓋片２６を上部から押える（図１参照）。このとき、押え片２９の裏面に位置するネジ３４の頭部３４ａが、中央孔３２を挿通して、ベースシート２５に吸着することとなる。
【００２７】
パスケース本体１３の縁部に沿った位置と、ベースシート２５の縁部に沿った位置と、押え片２９の端部２８とには、所定の間隔を開けて複数の小孔３６が貫通した状態で形成されている。この小孔３６は、バッグの底部等に縫着するときに、図示しない縫い針を挿通させるために設けられている。小孔３６の存在によって、針仕事に慣れていないユーザーであっても、比較的簡単に縫い針を使用して縫着できることとなる。
【００２８】
また、上部シート１５、下部シート１６、台座シート２２、ベースシート２５、施蓋片２６及び押え片２９は、皮革、合成皮革、合成樹脂シート又は厚布等のような適度の剛性と柔軟性とを備える材料を用いることが望ましい。
【００２９】
更に、パスケース本体１３の一部又は全部、特に上部シート１５の裏面等には、図３に示すように、金網３７などの補強材を配設することが望ましい。この場合、上部シート１５を刃物で容易に切断できないので、ＩＣカードＫを不用意にスリ取られる被害を防止できることとなる。
【００３０】
同様に、施蓋片２６の基部には、図３に示すように、金網３９などの補強材を配設することが望ましい。上述の場合と同様に、施蓋片２６の基部を刃物で容易に切断できないので、ＩＣカードＫを不用意にスリ取られる被害を防止できる。
【００３１】
以上のような構成のパスケース１１は、図４（イ）（ロ）に示すように、パスケース本体１３をバッグ３８の底部３８ａに位置させ、延出部１４をバッグ３８の側部３８ｂに位置させて縫着する。このようにパスケース１１を縫着すれば、バッグ３８の底部３８ａをいちいち確認しなくても、延出部１４の位置を見ればパスケース本体１３の位置が分かり、使用に際して便利である。
【００３２】
また、パスケース１１は、上述のように、ユーザー自らがバッグ３８の底部３８ａ等の所望位置に縫着して、そのバッグ３８を読み取り機に近接させて使用するものであり、パスケース１１を手で持つ必要がないので、荷物を沢山持っているときなど便利である。
【産業上の利用可能性】
【００３３】
本発明のパスケース１１は、バッグの底部等に縫着手段により取り付けるが、この方法以外にも、パスケース１１の裏面に接着剤を塗布して取り付けたり、パスケース１１の裏面に粘着剤と剥離紙を設けておき、剥離紙を剥がしてから取り付けたり、パスケース１１をホチキスを用いて取り付けたりなど、種々の取付手段により取り付けてもよいことは勿論である。
【図面の簡単な説明】
【００３４】
【図１】本発明に係るパスケース１１の斜視図である。
【図２】本発明に係るパスケース１１の斜視図である。
【図３】本発明に係るパスケース１１を、各パーツごとに分離して示した斜視図である。
【図４】（イ）（ロ）パスケース１１を縫着したバッグ３８の斜視図である。
【符号の説明】
【００３５】
１１  パスケース
１２  収納部
１３  パスケース本体
１４  延出部
１５  上部シート
１６  下部シート
１７  縫着線
１８  窓部
１９  透明シート
２０  収納口
２１  窓孔
２２  台座シート
２３、２４  切欠部
２５  ベースシート
２５ａ中央部位
２６  施蓋片
２７  自由端
２８  端部
２９  押え片
３０  マグネット部材
３１  金属部材
３２  中央孔
３３  取付部材
３４  ネジ
３４ａ頭部
３５  挿通孔
３６  小孔
３７  金網
３８バッグ
３８ａ底部
３８ｂ側部
３９  金網
【図１】
0005014019.tif 000002
【図２】
0005014019.tif 000003
【図３】
0005014019.tif 000004
【図４】
0005014019.tif 000005